(57)【要約】本発明は、副トラック（ＰB）が主らせん（ＰA）の巻きの間に入れ子にされており、一巻きのらせんのとそれに近接するらせんとの間隔が標準的な値を保っている保護ゾーンが存在する二重らせんを有するタイプのコピー防止光ディスクに関する。標準的なリーダで妨害なしに読み取ることができるように、２つの各らせん上の同一アドレス（ｎ）を持つセクタをｋセクタだけシフトさせる措置を取る。更に、ホールやトラックの相互の重ね書きを防止するために、副トラック（ＰB）の有効部分の開始及び終了に充填ゾーン（ＦAcc；ＦDec）を提供する。本発明は、コピー防止光ディスクと該ディスクの製造に適用可能である。
2004530248.tif 000002
【特許請求の範囲】
【請求項１】
ディスクの有効部分全体にわたって配置された連続的ならせん状の主トラック（ＰA）と、ループの間隔がディスクのほぼ全体にわたって同一のままであるように主トラックの連続ループ間に入れ子にされた少なくとも１つの副トラック（ＰB）を備えるタイプのコピー防止光ディスクであって、主トラックのセクタが該トラックに沿って実質的に順次配列されたアドレスを持ち、副トラックのセクタと任意の半径方向にある主トラックの近接する対応セクタとが、ほぼ同一サイズの２つの部分からなる保護ゾーン（ＺＤＰ）を形成するように同一アドレス（ｎないしｎ＋Ｑ）を持つコピー防止光ディスク、のためのマスタリング工程であって、ここで該マスタリングは、焼き付けのための符号化情報をフォーマット装置から受け取る焼き付けビームソースを用いて実行され、当該工程は次の段階：
・主トラック（ＰA）に焼かれるべき情報（ＥＦＭＡ）と副トラック（ＰB）に焼かれるべき情報（ＥＦＭＢ）をそれぞれ配送する２つの出力に、フォーマッタを用いて符号化された情報を提供する段階と；
・主トラック（ＰA）に焼かれるべき情報を、連続的に前記ソースに与える段階と；
・副トラックの選択した有効部分開始（ＤＲPB）前の所定の瞬間（ＣAcc）に、加速ゾーン（ＺAcc）を経由してトラックの任意の最初の間隔から二倍の間隔へと移るように前記ソースで変位の加速を命令する段階と；
・前記副トラックに焼かれるべき情報を、主トラック（ＰA）での保護ゾーン部分の開始セクタの焼き付けに対してｋセクタだけシフトして前記ソースに与え、ここでｋは所定の実数である段階と；
・副トラックの有効部分終了（ＦＲPB）後の所定の瞬間（ＣDec）に、減速ゾーン（ＺDec）を経由して前記二倍の間隔から前記最初の間隔へと移るように前記ソースで変位の減速を命令する段階と
を備えることを特徴とするマスタリング工程。
【請求項２】
第一取得段階において、副トラック（ＰB）上に焼かれるべき情報（ＥＦＭＢ）が符号化され、メモリに保存されることを特徴とする請求項１に記載のマスタリング工程。
【請求項３】
焼き付けビームソース（１）が、加速及び減速ゾーンの実際の開始に関する同期化情報（ＴＳAcc；ＴＳDec）を提供するように設計されることを特徴とする請求項１又は２に記載のマスタリング工程。
【請求項４】
更に以下の段階：
・上記加速ゾーンの実際の開始の同期化情報（ＴＳAcc）の後に、第一の所定のタイムアウトインターバル（ＴｐAcc）終了から副トラックの有効部分開始まで、副トラック上に焼くために開始充填情報（ＦAcc）を前記ソースに与える段階と；
・上記減速ゾーンの実際の開始の同期化情報（ＴＳDec）の後に、副トラックの有効部分終了から第二の所定のタイムアウトインターバル（ＴｐDec）終了まで、副トラック上に焼くために終了充填情報（ＦDec）を前記ソースに与える段階と
を備えることを特徴とする請求項３に記載のマスタリング工程。
【請求項５】
第一及び第二のタイムアウトインターバル（ＴｐAcc；ＴｐDec）が、開始充填情報の焼き付けが加速ゾーン内で始まり、終了充填情報の焼き付けが減速ゾーン内で終わるように選択されることを特徴とする請求項４に記載のマスタリング工程。
【請求項６】
与えられた加速（ＣAcc）又は減速（ＣDec）命令信号のそれぞれに応じたビーム変位の加速及び減速により、任意の最初のトラック間隔を持つ焼き付けゾーンから二倍の間隔を持つゾーンに移行すること及びその逆の移行も可能な、２つのトラックを並行して焼くことができる焼き付けビームソース（１）と、焼かれるべき情報を、前記ソースに与えられるように符号化するフォーマッタ装置（２）とを備える、請求項１ないし５のいずれか１項に記載の工程を実施するためのマスタリング装置であって、当該装置は、焼かれる加速及び減速ゾーンの実際の開始に関する同期化信号（ＴＳAcc；ＴＳDec）を提供するように前記ソースが設計されることと、更に以下のもの：
・フォーマット装置（２）により符号化された、副トラック（ＰB）に焼かれるべき情報（ＥＦＭＢ）を予め取得するための保存手段（３）と；
・前記保存手段により保存された前記符号化された情報を含む、副トラック上に焼かれるべき情報を、前記ソース（１）に提供するための復元手段（３）と；
・主トラック（ＰA）への焼き付けのためにフォーマット装置により前記ソースに提供された符号化された情報（ＥＦＭＡ）と、前記ソースから受け取られた前記同期化信号とから、前記復元手段により、復元することを命令するための管理手段（３）と；
・前記管理手段、前記ソース及びフォーマット装置に、モニタリング情報を提供するためのモニタリング手段（４）と
を備えることとを特徴とするマスタリング装置。
【請求項７】
前記復元手段（３）が、充填情報（ＦAcc；ＦDec）を生成し、該情報を前記符号化され保存された情報（ＥＦＭＢ）の前後に提供するように設計されることと、前記管理手段が、主トラックの符号化された情報（ＥＦＭＡ）と、前記ソースからの同期化信号と、及び、副トラックの有効部分の、該トラック位置の、そして開始充填情報の開始と終了充填情報の終了のためのタイムアウトインターバルの、開始及び終了アドレスを含むモニタリング装置からのモニタリング情報と、に基づいて、復元手段に命令を下すように設計されることとを特徴とする請求項６に記載の装置。
【請求項８】
前記モニタリング手段（４）が、副トラックの有効部分に関する位置及び長さ情報と、プレマスタリング作業中に作成されたファイルからのシフト情報（ｋ）を受け取り、及び、タイムアウトインターバルが、前記管理手段と前記ソースとフォーマット装置とに送られるモニタリング情報を体系化するためのものであることを特徴とする請求項７に記載の装置。
【請求項９】
前記復元手段が、前記フォーマット装置（２）により主トラック上に焼くために符号化された情報（ＥＦＭＡ）を充填情報として提供するように設計されることを特徴とする請求項６ないし８のいずれか１項に記載の装置。
【請求項１０】
ディスクの有効部分全体にわたって配置された連続的ならせん状の主トラック（ＰA）と、ループの間隔がディスクのほぼ全体にわたって同一のままであるように主トラックの連続ループ間に入れ子にされた少なくとも１つの副トラック（ＰB）を備えるタイプのコピー防止光ディスクであって、主トラックのセクタが該トラックに沿って実質的に順次配列されたアドレスを持ち、副トラックのセクタと任意の半径方向にある主トラックの近接する対応セクタとが、ほぼ同一サイズの２つの部分からなる保護ゾーン（ＺＤＰ）を形成するように同一アドレス（ｎないしｎ＋Ｑ）を持ち、当該ディスクは、保護ゾーン内の同一アドレスを有する２つのセクタが、主トラックに沿って測定されたｋセクタのインターバルだけシフトされ、ここでｋが任意の所定の代数的数であることを特徴とするコピー防止光ディスク。
【請求項１１】
任意の最初のらせん（ＳＰ）間隔を持つ主トラックゾーン（ＰA）から、主トラックの間隔が最初の間隔の二倍となる保護ゾーン（ＺＤＰ）開始への移行と、該保護ゾーン終了から、最初の間隔を持つ主トラックゾーンへの移行がそれぞれ加速ゾーン（ＺAcc）と減速ゾーン（ＺDec）で行われるディスクであって、副トラック（ＰB）の有効部分の前後に、有効部分開始を加速ゾーンで開始する一方で有効部分終了を減速ゾーンまで延長する充填情報（ＦAcc；ＦDec）が焼き付けられることを特徴とする請求項１０に記載のディスク。
【請求項１２】
前記ｋセクタのシフトのギャップが、考慮されるゾーンのらせんの一巻きのほぼ半分対応するように選択されることを特徴とする請求項１０又は１１に記載のディスク。
【請求項１３】
主トラックと副トラックが、副トラックで任意のアドレスｎを持つセクタが主トラックでアドレス（ｎ＋ｋ）を持つセクタと実質的に対向するように、ディスクにわたって配置されることを特徴とする請求項１０ないし１２のいずれか１項に記載のディスク。
【発明の詳細な説明】
【技術分野】
【０００１】
本発明は、らせん状の主トラックと、主トラックのループ間に入れ子にされた少なくとも１つの副トラックを備えるタイプのコピー防止光ディスクと、該ディスクを製造するためのマスタリング工程及び装置に関する。
【背景技術】
【０００２】
特にここ数年で、光ディスクの違法コピー防止技術が数多く開発されてきた。その中で最も単純な技術の１つは、製造段階でディスク上の所定の位置にコピー防止コードを書き込むことである。多くのコピー技術で、ディスクの該所定の位置は複写できないようになっており、リーダは適切な位置に保護コードがないディスクを拒絶するようにできている。しかし当然、全てのデータを読み取るようにできている又は修正された装置であれば、保護コードを含めてディスクをコピーでき、得られた違法コピーはオリジナルディスクにそっくりである。
【０００３】
比較的高度な他の技術が違法コピー問題を改善するために考えられてきた。その技術の殆どが、ディスク上で「署名」又は特定の印を使用するものである。これは、ディスクへの焼き付けの特定のパラメータ例えばマークの形状（深さ、幅、長さ）の変化、非対称的マークの導入、特定の周波数でのトラックのウォブル等からなってよい。これらの変化は、検索される署名を構成し、ＣＤ−Ｒライタ等の標準的なライタでは複写できない。しかし、ディスクリーダはこれらの変化を検出する必要があり、これは標準のリーダでは通常不可能である。該方法の変形では、標準的なリーダで連続的に複数回ディスクを再生したとき異なる値で読むことができる不明瞭なコードワードを生成することができる。
【０００４】
別の技術は、ディスクに焼かれたディスク識別コードを構築するために暗号化できるアドレスを持つオリジナルディスクのループ又はセクタを意図的に破損又は破壊することである。しかし、このタイプの技術の欠点は、ディスクのユーザが多少複雑なアクセスキューにより認証されなければならない点であり、ユーザは、ディスクのコンテンツにアクセスするための鍵として該アクセスキューを導入しなければならない。該キューは多くの場合権利付与ステーションから要求されなければならない。したがって該技術はかなりの制約を課す。破損部分を認識するこういった方法の別の欠点は、少量のデータしか隠すことができないためソフトウェアの本体に容易に取り込まれ得る点である。別の欠点は、こういったマークの書き込みが構造的に市販のディスクライタの範囲内にあり、唯一該ディスクのコピーが妨げられるのは、これらのライタを制御するソフトウェアがこのようなマーク、エラー又は削除の管理に適さない場合のみである点である。しかし（ユーザのプロセッサのレベル又はライタの内部ソフトウェアのレベルで）制御ソフトウェアのアイテムの１つを修正しても該ディスクをコピーするには不十分である。ここで、ディスクの破損は最終的には特定のセクタの完全な削除であり得ることに注意されたい。
【０００５】
これらの欠点のいくつかを改善し、非表示コードを用いてコピー防止システムのセキュリティを強化するために、実行データの連続的な記録を禁止するように断続らせん又は別個のゾーンの間にデータを分配することに基づく技術が開発されてきた。しかしこういった技術は、ディスクの情報密度の低減を伴う、又は時には非標準的なリーダの使用を必要とする。
【０００６】
従来の光ディスクのトラックの標準的なピッチ又は間隔を保持したまま、巻きの間に副らせんピースが差し入れられた連続的な主らせん又はトラックを備えるディスクを提供することによって、一見有望な道筋が付けられた。この場合、認証方法は、主トラック上に位置しない特定の識別又はアドレスコードの存在を確認することによってのみ副らせんを「認識」することにある。しかし該技術では、標準的なライタで簡単に複写できないゾーンを用いることの大きな利益を有効に活かしきれない。
【発明の開示】
【発明が解決しようとする課題】
【０００７】
本出願人は最近、これらの欠点を改善することと、２つの部分からなる保護ゾーンの物理的な存在を認識することによって、標準的なライタを用いた従来のコピーを排除できるこういったゾーンが存在する利益を最大限に利用することを提案した。
【０００８】
この特に有利な解決法は、ディスクの有効部分全体にわたって配置された連続的ならせん状の主トラックと、ループの間隔がディスクのほぼ全体にわたって同一のままであるように主トラックの連続ループ間に入れ子にされた少なくとも１つの副トラックを備えるタイプのコピー防止光ディスクであって、主トラックのセクタが該トラックに沿って実質的に順次配列されたアドレスを持ち、副トラックのセクタと任意の半径方向にある主トラックの近接する対応セクタとが、ほぼ同一サイズの２つの部分からなる保護ゾーンを形成するように同一アドレスを持つコピー防止光ディスクを想定する。
【０００９】
このようなディスクでコピー防止工程を実施するためには、標準的なリーダと互換性がある２つの部分からなる保護ゾーンの読み取り、特に主トラックと副トラックに同一アドレスを有するセクタの読み取りが必要であり、これはリーダにトラックジャンプせしめることにより行うことができる。このとき、特に現在読み取られているセクタの先のセクタの読み取りを要求することによりジャンプが得られる場合、関連するトラック部分の対応するセクタの正確な読み取りに関して問題が生じる。具体的には、ジャンプ後、一部の従来のリーダは自動で再調整する（フォーカス、読み取るアドレスの取得等）ためにある一定の時間を必要とし、よっていくつかのセクタを連続して見過ごす。更に、主トラックと副トラックに同一アドレスを持つセクタが互いに対向している場合、干渉されるリーダもある。これらの問題は、実際にリーダが他のトラックの読み取りを達成することなくジャンプを再開することにより表れ得る。
【００１０】
この欠点を改善するために、殆ど全てのリーダが連続的なジャンプによって２つの両トラックの同一アドレスを成功裡に読み取ることができるように、２つのトラックの同一アドレスのセクタ間のｋセクタのシフトを保護ゾーンに導入することが提案される。
【００１１】
このようなディスクを製造するには、二重らせんと、２つのトラックのセクタ間の所定のシフトを生み出す可能性をそこに組み込めるように既知のマスタリング工程を修正する必要がある。
【課題を解決するための手段】
【００１２】
本発明の第一面によると、ディスクの有効部分全体にわたって配置された連続的ならせん状の主トラックと、ループの間隔がディスクのほぼ全体にわたって同一のままであるように主トラックの連続ループ間に入れ子にされた少なくとも１つの副トラックを備えるタイプのコピー防止光ディスクであって、主トラックのセクタが該トラックに沿って実質的に順次配列されたアドレスを持ち、副トラックのセクタと任意の半径方向にある主トラックの近接する対応セクタとが、ほぼ同一サイズの２つの部分からなる保護ゾーンを形成するように同一アドレスを持つコピー防止光ディスク、のためのマスタリング工程が提供され、ここで該マスタリングは、焼き付けのために符号化された情報をフォーマット装置から受け取る焼き付けビームソースを用いて実行され、該工程は次の段階：
・主トラックに焼かれるべき情報と副トラックに焼かれるべき情報をそれぞれ配送する２つの出力に、フォーマッタを用いて符号化された情報を提供する段階と；
・主トラックに焼かれるべき情報を、連続的に前記ソースに与える段階と；
・副トラックの選択した有効部分開始前の所定の瞬間に、加速ゾーンを経由してトラックの任意の最初の間隔から二倍の間隔へと移るように前記ソースで変位の加速を命令する段階と；
・前記副トラックに焼かれるべき情報を、主トラックでの保護ゾーン部分の開始セクタの焼き付けに対してｋセクタだけシフトして前記ソースに与え、ここでｋは所定の代数的数である段階と；
・副トラックの有効部分終了後の所定の瞬間に、減速ゾーンを経由して前記二倍の間隔から前記最初の間隔へと移るように前記ソースで変位の減速を命令する段階と
を備えることを特徴とする。
【００１３】
このようなディスクを製造するためのマスタリング作業中に生じる問題の１つは、２つのトラックを並行して焼くためのビームソースの命令が、２つのトラックのゾーンアドレスの開始及び終了の決定論的な制御を許可しないことである。よって主トラックの間隔が、副トラックが存在しないのに標準的ならせん間隔の二倍になってしまう（副トラックの開始が遅すぎる、又は副トラック終了後の主トラックの二倍間隔の終了が遅すぎる）「ホール」のある状態になる虞、又は副トラックの始まりが早すぎる又は主トラックが標準的な間隔に戻るのが早すぎる場合はトラックの相互の重ね書きが起こる虞がある。
【００１４】
これを改善するために本発明は、「ホール」及び重ね書きの防止に利用可能な充填（infill：隙間を埋める）情報を持つゾーンによって、副トラックの有効部分を早発させ延長する措置を取る。
充填情報の導入は、マスタリング作業中に、加速及び減速ゾーンの実際の位置に関する自己同期化を必要とするので、本発明によると、焼き付けビームソースは、加速及び減速ゾーンの実際の開始に関する同期化情報を提供するように設計又は修正される。
【００１５】
本発明の他の面によると、上述したようなマスタリング工程であって、更に以下の段階：
・前記加速ゾーンの実際の開始の同期化情報の後に、第一の所定のタイムアウトインターバル終了から副トラックの有効部分開始まで、副トラック上に焼くために開始充填情報を前記ソースに与える段階と；
・前記減速ゾーンの実際の開始の同期化情報の後に、副トラックの有効部分終了から第二の所定のタイムアウトインターバル終了まで、副トラック上に焼くために終了充填情報を前記ソースに与える段階と
を備えることを特徴とするマスタリング工程も提供される。
【００１６】
本発明は又、上述の工程を実施するマスタリング装置も対象とする。
【００１７】
本発明は又、ディスクの有効部分全体にわたって配置された連続的ならせん状の主トラックと、ループの間隔がディスクのほぼ全体にわたって同一のままであるように主トラックの連続ループ間に入れ子にされた少なくとも１つの副トラックを備えるタイプのコピー防止光ディスクであって、主トラックのセクタが該トラックに沿って実質的に順次配列されたアドレスを持ち、副トラックのセクタと任意の半径方向にある主トラックの近接する対応セクタとが、ほぼ同一サイズの２つの部分からなる保護ゾーンを形成するように同一アドレスを持つディスクに関する。当該ディスクは、保護ゾーン内の同一アドレスを有する２つのセクタが、主トラックに沿って測定されたｋセクタのインターバルだけシフトされることを特徴とし、ここでｋは任意の所定の代数的数である。
上述したように、副トラックの開始及び終了に充填情報ゾーンを挿入することが好ましい。
【００１８】
よって本発明は又、任意の最初のらせん間隔を持つ主トラックゾーンから、主トラックの間隔が最初の間隔の二倍となる保護ゾーン開始への移行と、該保護ゾーン終了から、最初の間隔を持つ主トラックゾーンへの移行がそれぞれ加速ゾーンと減速ゾーンで行われる、上述したようなディスクを提供し、当該ディスクは、副トラックの有効部分の前後に、有効部分開始を加速ゾーンで開始する一方で有効部分終了を減速ゾーンまで延長する充填情報が焼き付けられることを特徴とする。
【００１９】
以下の説明と添付の図面によって、本発明はよりよく理解され、他の特徴及び利点が明らかとなるだろう。
【００２０】
図１に示したのは保護ディスクの優先的な形状であり、らせん状トラックの各ループ（又は巻き）が、図の左端から右端へと続く部分によって示されている。同様に、図の下方から上方に向かって、らせん状の主トラックＰAが始まるディスクの内側と該トラックが終わるディスクの外側が示されている。
主トラックＰAは、ディスクの有効部分全体にわたって配置された連続的ならせん状トラックであり、該らせん状トラックのセクタは該トラックに沿って実質的に順次配列されたアドレスを持つ。副トラックＰBは、トラックの間隔がディスクのほぼ全てのゾーンにおいて、ＣＤ−又はＤＶＤ−ＲＯＭディスク等の従来の光ディスクで通常使用される標準的な間隔に等しく且つ一定のままであるように主トラックの連続ループ間に入れ子にされている。２つのトラックが共存し、該２つのトラック上で同一アドレスｎないしｎ＋Ｑが使用されている２つの部分からなるゾーンは「保護ゾーン」ＺＤＰと呼ばれる。該ゾーンは、保護ファイルから発生し且つ主トラックと副トラックの間に分配される情報を備える。保護の重要な要素は、２つのトラックを持つオリジナルディスクの物理的構造を認識することであり、該認識によってオリジナルディスクと単一のトラックを持つコピーが区別される。そして該認識は、異なる条件下での一連の読み取り、及び／又は第一のトラック上で読み取られたセクタと同一のアドレスを持つセクタを関連するトラック上で検索することによって、主トラックと副トラック上において同一アドレスで表される情報を標準的なリーダで読み取ることができることに基づく。
【００２１】
図２は、二重らせんが直線的に示された、図１のディスクの別の線図である。まず該ディスクは連続的な主らせんＰAを備える。図の左側のディスクの内側を開始点とすると、最初は、標準的な間隔例えばＣＤ−ＲＯＭディスクの場合１．６μｍの間隔ＴＰ（左側の目盛Ａ）を有するらせんＰAだけが存在する。その後、二倍の間隔２ＴＰに到達するまでゾーンＺACCにおいて間隔が徐々に広がり、該ゾーンは後に詳述する理由によって加速ゾーンと呼ばれる。該らせんＰAと、巻きの間に入れ子にされる副トラックＰBとが共存する保護ゾーンにおいて、らせんＰAは該二倍の間隔を持ち続け、副トラックも同じ間隔２ＴＰ（図の左側の目盛Ｂ）を持つ。この２つのトラックからなる保護ゾーンの後には、標準値ＴＰに戻るまでらせんＰAの間隔が徐々に狭くなるゾーンＺDecが続き、該ゾーンは減速ゾーンと呼ばれる。その後、ディスクの有効部分終了まで間隔ＴＰのらせんＰAだけが続く。この図２で見られるように、トラックＰAとＰB上でアドレスｎを持つセクタは理論上互いに対向して配置される。
【００２２】
しかし上記で指摘したように、一部の標準的なリーダは、トラックジャンプを行うとき、自動で再調整し、到達したトラックに焼き付けられた情報を実際に読み取るために、ある一定の時間（リーダによって異なる）を必要とする。更に、トラックＰAとＰBの近接するセクタ上の同一アドレスは、ジャンプの場合「足踏みしているような印象」を持つため、リーダを妨害する。
【００２３】
これを改善するために、図３の線図で示した本発明の第一の特徴を利用する。主トラック及び副トラック上の同一アドレス（例えばｎ）を持つセクタの間にｋセクタのシフトギャップが提供される。考えられるのは例えば、副トラックが主トラックよりも「ディスクの内側」にある、つまり、理論上では主トラックのアドレスｎを持つセクタと対向している副トラックのアドレスｎを持つはずのセクタが、主トラックのアドレスｎ＋ｋを持つセクタと対向し、該セクタｎ＋ｋに対して半径方向でディスクの内側方向を向いている場合である。この設計は特に、あるらせんから別のらせんへのジャンプのために、後方へのジャンプによりセクタを検索する方策を取る場合に必要である。システムの最適化には、シフトセクタの数ｋを、らせんの一巻きの半分の量に大体対応させることが望ましい。ディスクが一定の線速度（ＣＬＶ）で読み取られる通常の場合、らせんの一巻きはディスクの内側方向よりも外側方向に向かってより多くのセクタを含むので、このことから、リーダは、副トラックがディスクの外側に向かって配置されているときのほうが自動調整のための時間をより多く持つことが演繹される。当然本発明は、副トラックが主トラックよりも「ディスクの外側」にある場合、及び／又はシフトｋが反対方向にある；つまりシフトｋが実際は任意の所定の実数である場合も適用できる。
【００２４】
又、二重らせんの適切な読み取りのためには、マスタリング作業中一般的に生じる現象も考慮しなければならない。マスター（通常ガラス製）上に焼かれるべき情報は、ＣＤディスクの場合ＥＦＭ（「Eight to Fourteen Modulation（８−１４変調）」の頭文字）コードによりデータを符号化するフォーマット装置によって、焼き付けビームソースに与えられる。この場合、２つのトラックを並行して焼くことができるソースが必要となる。例えば双ビームＬＢＲ（Laser Beam Recorder）をソースとして使用できる。このようなＬＢＲは、それぞれ２つの結合ビームに対応する２つの変調入力を持つ。該２つのビームは、一定速度で回転する焼かれるべきマスターに対して半径方向に移動する。通常、ビームの半径方向の移動の速度は、任意の最初の一定間隔を持つ１つ（又は２つ）のらせんが続くように一定である。該間隔は標準的な間隔（例えばＩＳＯ／ＩＥＣ標準１０１４９によるＣＤ−ＲＯＭの場合１．６μｍ）であってよい。しかし、らせん間隔が変更されるように、ビームの半径方向の移動を加速又は減速するための制御入力によってＬＢＲのサーボ制御を操作することが可能である。
このようなＬＢＲを用いた二重らせんを生成する実験では、間隔を変更するための加速又は減速に関する命令の処理におけるばらつきが示された。該ばらつきは二重らせんゾーンの開始及び終了の精度を妨害する。間隔を変更する命令を処理するためにＬＢＲが必要とするインターバルはマシンによって及び／又はマスターによって異なる。その結果、加速中に想定よりも速く、又は減速中に想定よりも遅く命令がＬＢＲによって処理された場合、穴（又は「ホール」）のないゾーンが生じてしまうか、又は逆の場合、トラックの相互の重ね書きのあるゾーンが生じてしまう。
【００２５】
これを改善するために、加速命令は、加速が望まれる瞬間より数セクター前に発せられなければならない。しかしこの結果通常「ホール」が生じる、つまり主らせんの１または複数の巻きが副らせんなしで二倍の間隔になってしまう。同様に副らせんの終了で減速命令の処理に相当のインターバルが発生した場合にも、主らせんが標準的な間隔ＴＰに戻る前に、副らせんのない「ホール」が生じる。又、副らせんの終了より僅かに前に減速命令を発して前処理することは不可能である。これは、実行が早すぎると副トラックの終了を重ね書きする虞があるためである。
【００２６】
図４はこれらの現象を図示したものである。このように例えば、同一の加速命令ＣAccに関して、ＬＢＲの反応時間に応じた、Ａｃｃ１ないしＡｃｃ３の３つの可能なパターンが表されている。同様に図４には例えば、同一の減速命令ＣDecに関して、Ｄｅｃ１ないしＤｅｃ４の４つの可能なパターンが示されている。
これらの現象の結果、標準的なリーダによる読み取りはかなり妨害される。過剰に大きな「ホール」があると、ジャンプされたトラックの数と光ヘッドの実際の半径方向の移動とを相関させる高度なリーダの場合、ヘッドのサーボ制御が「ホール」ゾーンでのジャンプ中にインコヒーレンスを検知し、これによってアクセス時間の問題が生じ得る。
同様に、トラックの重ね書きゾーンもリーダを妨害する。
【００２７】
解決策として、副らせんの長さ、よって焼かれるべき情報の量を、該情報が、実際に該情報のために作成された場所に正確に挿入されるように適合させることがある。
別の解決策として、本発明により見出されたものがある。図４に示されたように、副トラックＰBを開始させ延長するために、基本的には有用な意味を持たない充填情報を利用して、有効部分ＰB前後の隙間（「ホール」）を埋める措置を取る。よって、実際に得られた加速ゾーンの位置に応じて、充填ＦAcc1ないしＦAcc3が使用される。同様に副トラックの終了でも、充填ＦDec1ないしＦDec4のいずれか１つが加えられる。
【００２８】
加速ゾーンと減速ゾーンの正確な位置は決定論的に制御されないので、実際に充填の適切な期間を選択するためには、実際に加速命令ＣAccと減速命令ＣDecを処理するための情報がＬＢＲ自体から得られなければならない。ＬＢＲは、命令ＣAcc、ＣDecのそれぞれが処理されるとすぐに現れる同期化情報ＴＳAcc、ＴＳDecを提供するように設計又は修正される。
【００２９】
図５は、二倍間隔のマスターのためのマスタリング作業のタイミング図を示す。ＤＲPBがトラックＰBの焼き付けが開始されるべき瞬間を示す場合、加速命令は、全てのあり得る反応時間を網羅できるほど早く、例えば瞬間ＤＲPBよりＮAcc前に発せられる。ＬＢＲは加速を開始すると、同期化情報ＴＳAccを提供する。これ以降に、所定のタイムアウトＴｐAccが充填情報ＦAccを開始ＤＦAccする。又、アドレスｎを持つセクタに対応する副トラックの開始ＤＲPBは、主トラックＰA上でアドレスｎを持つセクタの出現よりｋセクタ後に決定されている。
同様に保護ゾーンの終了には、減速命令ＣDecが、副トラックＰBの終了ＦＲPBよりＮDecセクタ後に発せられる。更に充填情報ＦDecが、トラックＰBの終了ＦＲPBからすぐにＬＢＲに提供される。ＬＢＲは減速を始動すると、同期化情報ＴＳDecを提供する。これ以降に、所定のタイムアウトＴｐDecが充填ゾーンＦDecを終了ＦＦDecする。
【００３０】
図６は、上述の工程を実施するマスタリング装置のブロック図である。縦の破線は、マスタリング部分と、プレマスタリング作業中に得られるものとを分ける。
プレマスタリング中に得られた、それぞれトラックＰA及びＰBに焼かれるべき情報Ａ及びＢが、保存手段Ｓｔ１及びＳｔ２（説明を明確にするために別個に示す）内のファイルからフォーマット装置２に送られる。該装置は、これらのファイルをコードＥＦＭに符号化し、主トラックＰAには焼き付け信号ＥＦＭＡを、副トラックＰBにはＥＦＭＢを提供するものである。信号ＥＦＭＡは、ＬＢＲ１の主トラックビームを修正するために入力Ａに与えられる。更にフォーマッタ２は、加速制御信号ＣAcc及び減速制御信号ＣDecを制御入力ＬＢＲに提供する。実際の加速開始及び減速開始に関する同期化情報ＴＳAcc及びＴＳDecがＬＢＲの出力で得られる。
【００３１】
更に取得／復元ボックス３が提供されている。該ボックスはフォーマッタ２から信号ＥＦＭＢを受け取り、ＬＢＲに与えられる信号ＥＦＭＡも受け取る。又それは、ＬＢＲ１を経由して同期化信号ＴＳ（ＴＳAcc、ＴＳDec）を受け取る。
該ボックスは、副トラックビームを修正するために入力Ｂに与えられる信号を提供する。最後にボックス３は、プレマスタリング中にファイル５から情報を受け取るモニタリング回路４から、様々なパラメータを受け取り、その一方で、その位置で情報及び／又はパラメータを計算し得る。回路４は又、ＬＢＲ及びフォーマッタのためのモニタリングポストも構成する。
【００３２】
作業方法は以下の通りである。第一取得段階において、副トラックＰB上に焼かれるべき情報ＥＦＭＢ（フォーマッタ２により符号化された）が、フォーマッタによってボックス３に送られ、該ボックスが該情報を保存手段内のメモリに収容する。更に、保護作成時に決定されファイル５内に収容された、副トラックの有効部分の位置及び長さが、モニタリング回路４に送られる。該回路は、実行されるべきマスタリングに適したタイムアウトパラメータを持っている又は受け取る。
復元段階（ボックス３が特に、保存された信号ＥＦＭＢを焼き付けのために復元するのでこう呼ばれる）は、フォーマッタ２により信号ＥＦＭＡをＬＢＲに連続的に送ることと、その後加速制御信号ＣAccを送ることからなる。信号ＴＳAccがＬＢＲによりボックス３に送達されると、該ボックスは、モニタリング回路４により提供されたタイムアウトインターバルＴｐAcc後に、ＬＢＲの入力Ｂに充填情報を送り始める。充填情報はボックス３により生成されても、又は好適にはフォーマッタから受け取られる信号ＥＦＭＡそのものにより構成されてもよい。
ボックス３は又、副トラックの位置と実行されるべきシフトｋから得られた副トラック開始アドレスＤＲPB（主トラック上で決定された）を、モニタリング回路４から受け取る。該アドレスがボックス３により信号ＥＦＭＡ上で一旦検知されると、該ボックスは充填ＦAccを、保存していた信号ＥＦＭＢに置き換える。
【００３３】
副トラック焼き付け終了時、同様の段階が行われる。回路４により提供されたアドレスＦＲPBの復元終了時、ボックス３は信号ＥＦＭＢを、ＬＢＲの入力Ｂの充填情報に置き換える。減速制御信号ＣDecは、ＦＲPBに対してＮDecセクタだけシフトしてＬＢＲに送られる。ボックス３は、ＬＢＲを経由して実際の減速開始同期化情報ＴＳDecを受け取ると、モニタリング回路４により決定されたタイムアウトＴｐDec後にＬＢＲへの信号の送信を一切停止し、これは終了充填ＦDecの終了ＦＦDecに対応する。
【００３４】
当然であるが、説明した例示的な構造は本発明を制限するものではない。特に本発明に特有の作業を全て、別個のボックス内で実行するのではなく、例えばフォーマッタに、又はＬＢＲの処理ユニット（ＣＰＵ）に組み込んでもよい。更に、双ビームＬＢＲの替わりに、焼き付けビームソースを、２つのトラックを並行して、同時に、又は連続して焼くことができる任意のビームソースにしてもよい。同様に、二段階（副トラックに焼かれるべき情報がフォーマッタにより符号化されメモリ内に保存される取得段階と、該情報を保護ゾーンに焼く間、副トラック上に焼かれるように、保存された情報が焼き付けビームソースに復元される復元段階）で情報を符号化する例示的な構造を説明したが、好ましくはその次に、ソースにより主トラックと副トラックを焼く実際の作業中に「オンザフライで」（実時間で）焼かれるべき情報を符号化することを想定することも可能である。符号化された焼かれるべき情報はその後、フォーマッタによる場合は２つの出力に提供される。
【図面の簡単な説明】
【００３５】
【図１】保護ディスクのらせんの巻きを直線状に示した図。
【図２】副トラックを有する保護ディスクを直線状に示した別の図。
【図３】本発明の第一面によって修正された図２を示した図。
【図４】本発明により解決された別の問題を示した図。
【図５】本発明によるマスタリング作業のタイミング図。
【図６】本発明によるマスタリング装置の実施例のブロック図。
【図１】
2004530248.tif 000003
【図２】
2004530248.tif 000004
【図３】
2004530248.tif 000005
【図４】
2004530248.tif 000006
【図５】
2004530248.tif 000007
【図６】
2004530248.tif 000008
【国際公開パンフレット】
2004530248.tif 000009
2004530248.tif 000010
2004530248.tif 000011
2004530248.tif 000012
2004530248.tif 000013
2004530248.tif 000014
2004530248.tif 000015
2004530248.tif 000016
2004530248.tif 000017
2004530248.tif 000018
2004530248.tif 000019
2004530248.tif 000020
2004530248.tif 000021
2004530248.tif 000022
2004530248.tif 000023
2004530248.tif 000024
2004530248.tif 000025
2004530248.tif 000026
2004530248.tif 000027
2004530248.tif 000028
2004530248.tif 000029
2004530248.tif 000030
2004530248.tif 000031
【国際調査報告】
2004530248.tif 000032
2004530248.tif 000033
2004530248.tif 000034
2004530248.tif 000035